(57)【要約】【課題】撮影室内にいる術者と操作室内にいる操作者との音声によるコミュニケーションを図るのに好適な磁気共鳴イメージング装置を提供する。【解決手段】撮影室内にいる術者と操作室外にいる操作者との音声によるコミュニケーションを図るためのマイクロフォン６が、インルームモニタ４に内臓されている。【選択図】　　　図２
2004097432.tif 000002
【特許請求の範囲】
【請求項１】
静磁場及び傾斜磁場、高周波磁場の各磁場発生手段を備え、前面及び側面に開口部が開かれたオープン型のガントリと、患者を載せて少なくとも前記ガントリ内への入出移動及び上下移動が可能な寝台と、撮影室外に設けられた操作卓に併設したモニタと同一画像を表示できるインルームモニタを備えたオープン型磁気共鳴イメージング装置において、撮影室内にいる術者と操作室外にいる操作者との音声によるコミュニケーションを図るためのマイクロフォンが、前記インルームモニタに内蔵されていることを特徴とする磁気共鳴イメージング装置。
【発明の詳細な説明】
【０００１】
【発明の属する技術分野】
本発明は、撮影を行いながら外科的手術や治療を施すＩｎｔｅｒｖｅｎｔｉｏｎａｌ　ＭＲ（以下、Ｉ−ＭＲという）に用いるオープン型ＭＲＩ装置に係り、特に、撮影室内にいる術者と撮影室外（操作室）にいる操作者との音声によるコミュニケーションを図るのに好適なＩ−ＭＲに用いるオープン型ＭＲＩ装置に関する。
【０００２】
【従来の技術】
ＭＲＩ装置では、静磁場中に置かれた患者に対し高周波パルスを照射することで、患者中の原子核の核スピンが励起され核磁気共鳴信号が発生する。このとき、傾斜磁場を所定のシーケンスで印加することにより磁気共鳴信号は位置的な情報を与えられ、この核磁気共鳴信号を再構成することにより患者内の断層像を得ることができる。
【０００３】
最近では、そのオープン型ガントリや高速撮像法および透視シーケンスなどの技術的発展と、ＭＲＩ装置が本来持つ、例えば被曝がない、任意断面の撮像が可能である、組織分解能に優れている等の利点と相まって、ＭＲＩ装置を手術室内に配置し患者に対して外科的手術や治療を施すＩ−ＭＲという分野が急速に発展してきた。
【０００４】
このＩ−ＭＲにおいて頭部の手術を行なう場合、撮影室内にモニタ（以下、インルームモニタという）を設置すれば、術者はガントリが配置された手術室内で腫瘍などを顕微鏡下で摘出した後、ＭＲＩ装置で患者の頭部をスキャンして表示したＭＲ画像によって腫瘍が十分摘出されたかを確認することができる。
【０００５】
また別のケースでは、　術者は患者の患部をインルームモニタに表示されるＭＲ画像上で識別しながら、エタノールなどの薬物注入、ＲＦ照射切除、レーザー治療（腫瘍などの病巣に対して、液体窒素等の気化時低温を利用した組織内治療（クライオサージャリー））等の穿刺生検のガイディングや、温熱・寒冷療法や薬物治療による深部臓器の温度・組織モニタリングを行なうことが行われている。
【０００６】
このようなＩ−ＭＲにおいて、撮影室内にいる術者と、撮影室外（操作室）にいる操作者との間で、頻繁な情報のやりとり（コミュニケーション）が必要とされる。例えば、穿刺生検・開頭手術等を進めるにおいての術者が所望するＭＲＩ撮影条件（スライス断面位置の変更、測定パラメータの変更等）の指示、各種治療機器や周辺医療機器の撮影内外での連携操作のためのコミュニケーションがこれにあたる。
【０００７】
従来、ＭＲＩ装置には、ガントリ開口内に居る患者の声を的確に操作者に伝えることを目的としたマイクロフォンが通常設置されている。このマイクロフォンは、ガントリ開口内の患者の声を効果的に収集するため、患者の頭部が通常固定される位置に近接した場所に設置されている。（例えば、特許文献１参照。）
【０００８】
【特許文献１】
特開平９−５０３号公報（第３頁）。
【０００９】
従ってスキャン時においても、患者の声が傾斜磁場の印加の際に発生される音に掻き消されることなく、的確に操作室にいる操作者へ伝えることが可能であった。
【００１０】
【発明が解決しようとする課題】
しかしながら、術者が操作室にいる操作者とのコミュニケーションのためにこの患者の頭部に近接されたマイクロフォンを使うと、術者は患者の頭部から離れているために、傾斜磁場の印加音にかき消されて的確な情報伝達ができなかった。
【００１１】
この不具合を解決するために、市販のマイクロフォンやインターフォンを後から設置する場合もあるが、この場合次の問題点がある。有線方式の場合には、ケーブル這い回しのためにシールドルームに余計な改造を要したり、床を這い回した場合術者や患者にとってケーブルが歩行の妨げとなるため、治療時の安全性を損う恐れがあった。一方無線方式の場合には、市販のマイクロフォンやインターフォンは高周波、高出力のものが殆どであり、この場合他の医療機器への影響が懸念される。従って、病院内における使用は好ましくないと考えられた。
【００１２】
本発明の目的は上記改造の問題点を鑑み、撮影室内にいる術者の声を操作室にいる操作者へ的確に伝えるためのコミュニケーション手段を提供することにある。
【００１３】
【課題を解決するための手段】
上記目的は、撮影室内に、静磁場及び傾斜磁場、高周波磁場の各磁場発生手段を備え、前面は勿論、側面にも大きく開口部が開かれたオープン型のガントリと、患者を載せて少なくとも前記ガントリ内への入出移動及び上下移動が可能な寝台と、撮影室外に設けられた操作卓に併設したモニタと同一画像を表示できるインルームモニタを備えたオープン型ＭＲＩ装置において、撮影室内にいる術者と操作室外にいる操作者との音声によるコミュニケーションを図るためのマイクロフォンが、前記インルームモニタに内蔵されていることを特徴とする磁気共鳴イメージング装置によって達成される。
【００１４】
【発明の実施の形態】
以下、本発明の実施形態を図面により詳細に説明する。まず、図１を用いてオープン型磁気共鳴イメージング装置の構成を説明する。図１において、磁気共鳴イメージング装置は大別して、ガントリ１、患者テーブル２、ＲＦ受信コイル３等より成る。オープン型磁気共鳴イメージング装置の場合には、インルームモニタ４が設置される。インルームモニタ４はモニタ指示アーム５を介してガントリ１によって支持される。
【００１５】
本発明では、インルームモニタ４にマイクロフォン６が設置されている。マイクロフォン６は、術者の操作者への声を検出するが、その音声は増幅され出力信号となる。この出力信号は、モニタ指示アーム５、ガントリ内を通されたシールドケーブル８により、撮影室の外へ伝えられる。撮影室と操作室の間には、ノイズフィルタを多数内臓しているフィルタボックス７が設けられていて、シールドケーブル８はその中を通る。操作室にはスピーカー１０が設けられていて、操作者は術者の声を、これを用いて聞き取ることができる。
【００１６】
次に本発明の実施例において、マイクロフォン６をインルームモニタ４に設置する場合の具体例を次に示す。図２はマイクロフォン６を、インルームモニタ４の中央に設置した場合の標準型である。この例では術者は、インルームモニタの画像を見ながら操作者とコミュニケーションがとれるという利点がある。
【００１７】
図３は、マイクロフォン６を、インルームモニタ４の側面に配置した場合の例である。本例ではマイクロフォン６の指向性をもとに、傾斜磁場の印加音をできるだけ拾わないような構成となっている。マイクロフォン６は、その軸方向からくる音は多く検出するが側面方向からくる音は検出しにくいので、傾斜磁場のある方向に対して直接向かない形でマイクロフォン６を設置すれば、傾斜磁場の印加音（ノイズ）の影響を少なくすることができる。
【００１８】
図４は、インルームモニタ４にフレキシブルアーム１１を取り付け、その先端にマイクロフォン６を取り付けた構成例である。本例ではマイクロフォン６を、より術者に近接させ、またマイクロフォン６の指向性をも考慮して傾斜磁場の方向に対して斜めに向くようにフレキシブルアーム１１を曲げているので、術者の声をより雑音を少なくした形で検出することができる。
【００１９】
【発明の効果】
本発明によるオープン型磁気共鳴イメージング装置によれば、Ｉ−ＭＲにおいて術者と操作者とのコミュニケーションのために用いるマイクロフォンを、インルームモニタ４に内臓した構成で設けた。本発明は、余分な構造上の問題を発生することのない構成であるので、治療・撮影際の効率、安全性が向上し、更には治療撮影時間の短縮、患者にかかる肉体的・精神的負担の軽減をすることができる。
【図面の簡単な説明】
【図１】オープン型磁気共鳴イメージング装置の構成。
【図２】マイクロフォン６をインルームモニタ４の中央に設置する場合の図。
【図３】マイクロフォン６をインルームモニタ４の側面に設置する場合の図。
【図４】インルームモニタ４にフレキシブルアーム１１を取り付け、その先端にマイクロフォン６を取り付けた場合の図。
【符号の説明】
４…インルームモニタ
６…マイクロフォン
１１…フレキシブルアーム
【図１】
2004097432.tif 000003
【図２】
2004097432.tif 000004
【図３】
2004097432.tif 000005
【図４】
2004097432.tif 000006